(57)【要約】【課題】フレキシブルケーブルに関する防水機能およびアンテナの受信特性の向上を図ることができる２軸ヒンジ構造を備えた携帯端末装置を提供する。【解決手段】携帯電話機の固定フロントケースに設けられた回路基板と接続され可動側筐体と間での電気系統に通電を行なうフレキシブルケーブル２０８は、可動側筐体または固定側筐体の内部に対する防水を行なうガスケットシール２１１と、ガスケットシール２１２が一体成形され、可動フロントケース２１０の内部を構成する筐体の内部には、ＬＣＤモジュール２０５のドライバ基板の破損を防止する補強用の補強板部材が埋設される。  【選択図】        図３
2009267985.tif 000002
【特許請求の範囲】
【請求項１】
液晶表示モジュールを有する可動フロントケースと可動リアケースとを備えた可動側筐体と、アンテナと回路基板を有する固定側フロントケースと電池パックを収納する電池パック収納部を有する固定リアケースとを備えた固定側筐体とを、２軸ヒンジ構造の連結部を介して連結する携帯端末装置であって、
前記固定フロントケースに設けられた回路基板には、前記可動側筐体の電気系統に通電を行なうフレキシブルケーブルが接続され、
前記フレキシブルケーブルは、前記可動側筐体または前記固定側筐体の内部に対する防水を行なう第一のガスケットシール部材と第二のガスケットシール部材とが一体成形され、
前記第一のガスケットシール部材は、前記可動フロントケースに形成された凹溝部に嵌合固定され、
前記第二のガスケットシール部材は、前記固定フロントケースに形成された凹溝部に嵌合固定されることを特徴とする携帯端末装置。
【請求項２】
液晶表示モジュールを有する可動フロントケースと可動リアケースとを備えた可動側筐体と、アンテナと回路基板を有する固定側フロントケースと電池パックを収納する電池パック収納部を有する固定リアケースとを備えた固定側筐体とを、２軸ヒンジ構造の連結部を介して連結する携帯端末装置であって、
前記可動フロントケースに設けられた液晶表示モジュールのドライバ回路基板は、当該可動フロントケースの前端部側に固定されるとともに、当該可動フロントケースを構成する筐体の内部には、剛性を有する板金フレーム部材が全面にわたって埋設され、
前記固定フロントケースに設けられた回路基板には、前記可動側筐体の電気系統に通電を行なうフレキシブルケーブルが接続され、
前記フレキシブルケーブルは、前記可動側筐体または前記固定側筐体の内部に対する防水を行なう第一のガスケットシール部材と第二のガスケットシール部材とが一体成形され、
前記第一のガスケットシール部材は、前記可動フロントケースに形成された凹溝部に嵌合固定され、
前記第二のガスケットシール部材は、前記固定フロントケースに形成された凹溝部に嵌合固定されることを特徴とする携帯端末装置。
【請求項３】
前記可動フロントケースの筐体の内部に埋設された前記板金フレーム部材の側面部は、当該可動フロントケースのケース側面形状に合わせて略Ｌ字型に成形されていることを特徴とする請求項２に記載の携帯端末装置。
【請求項４】
前記可動フロントケースの筐体のケース表面部には、前記液晶表示モジュールの裏面を覆うとともに、当該筐体補強用の補強板部材が取り付け固定されていることを特徴とする請求項３に記載の携帯端末装置。
【請求項５】
前記固定側リアケースに形成された電池パック収納部には、前記電池パックの電力を前記回路基板に通電する充電端子が固接された端子ホルダ部材が設けられ、当該端子ホルダ部材には、前記アンテナと電気接続するとともに、当該アンテナに対する電気的接地回路を形成する接地回路パターンが形成されることを特徴とする請求項１〜４の何れか一つに記載の携帯端末装置。
【請求項６】
前記端子ホルダ部材の基端部には、円形状の嵌合凹部が形成され、前記嵌合凹部には、防水機能を有するＯリング部材が嵌合固定されることを特徴とする請求項５に記載の携帯端末装置。
【発明の詳細な説明】
【技術分野】
【０００１】
本発明は、固定側筐体と可動側筐体と２軸ヒンジ構造の連結部を介して連結した携帯端末装置に関するものであり、特に２つの筐体間を電気接続するフレキシブルケーブルに関連する防水対策を備えた携帯端末装置に関するものである。 
【背景技術】
【０００２】
近年の携帯電話機は、携帯電話機を薄型化および小型化とする等の要望に応えるために、２つの筐体（固定側筐体と可動側筐体）を２軸ヒンジ構造の連結部を介して連結しているものが多い。このように固定側筐体と可動側筐体とを２軸ヒンジ構造で連結した携帯電話機の固定側筐体に設けた回路基板には、可動側筐体と通電ラインを電気接続するための接続部材として細線同軸ケーブルが採用されている(例えば、特許文献１参照)。
【０００３】
ここで、このような筐体間を電気接続する細線同軸ケーブルは、複数のバラ線を束ねている構成であるため、ケーブルをレイアウトする場合などに断線が発生する恐れなどがある。また、このような細線同軸ケーブルの場合には、この細線同軸ケーブルを対象とする防水対策が何ら行われていないという問題がある。このため、近年では、固定側筐体と可動側筐体との通電ラインを確保する電気接続部材として細線同軸ケーブルではなくフレキシブルケーブルが使用されている。
【０００４】
【特許文献１】特開平１１−３３０７３１号公報
【発明の開示】
【発明が解決しようとする課題】
【０００５】
ところが、上述したように、従来の携帯電話機の場合、２軸ヒンジ構造の連結部を備えているため、固定側筐体と可動側筐体との電気接続には、細線同軸ケーブルではなくフレキシブルケーブルを使用しているが、このフレキシブルケーブルを対象とする防水対策はなんら行なわれていないという問題がある。
【０００６】
さらに、このように、固定側筐体と可動側筐体との連結部に２軸ヒンジ構造（２軸ヒンジモジュール)を使用しているため、この２軸ヒンジモジュールの取り付け個所である固定フロントケースの外側には、この２軸ヒンジモジュールを配置する凹部状領域が形成されている。このため、この固定フロントケースの内側（前側）は、外側とは反対に凸部状領域となるため、アンテナ用の回路基板の大きさ（長さ寸法が約８０ｍｍ程度）が小さくなり、これによって、携帯電話機のアンテナ特性が減衰してしまうという問題がある。
【０００７】
そこで、この発明は、上述した従来技術の課題を解決するためになされたものであり、２軸ヒンジ構造により連結された固定側筐体と可動側筐体とを電気接続するフレキシブルケーブルに関する防水対策およびアンテナの受信特性を向上することができる携帯端末装置を提供することを目的とする。
【課題を解決するための手段】
【０００８】
開示の携帯端末装置は、可動フロントケースに設けられた液晶表示モジュールのドライバ回路基板は、当該可動フロントケースの前端部側に設けられるとともに、当該可動フロントケースを構成する筐体の内部には、補強用の板金フレーム部材が埋設され、固定フロントケースに設けられた回路基板に接続され可動側筐体の電気系統に通電を行なうフレキシブルケーブルは、可動側筐体または固定側筐体の内部に対する防水機能を備えた第一、第二のガスケットシール部材が一体成形されることを要件とする。
【発明の効果】
【０００９】
開示の携帯端末装置に設けられたフレキシブルケーブルは、可動側筐体または固定側筐体の内部に対する防水機能を備えた第一、第二のガスケットシール部材が一体成形されるとともに、可動フロントケースを構成する筐体の内部には、補強用の板金フレーム部材が埋設されるので、携帯端末装置の防水対策を確実とすることができるうえ、可動フロントケースの筐体の強度を向上することができ、これによって、可動フロントケースに設けられた液晶表示モジュールのドライバ回路基板の配置を、当該可動フロントケースの前端部側に設けることができる。
【発明を実施するための最良の形態】
【００１０】
以下に添付図面を参照して、この発明に係る携帯端末装置の好適な実施例１を詳細に説明する。本実施例１は、携帯端末装置として携帯電話機への適用例を示す。なお、この実施例１によりこの発明が限定されるものではない。 
【実施例１】
【００１１】
ここで、図１は、本発明における実施例１に係る携帯電話機１０の開放状態を示す外観斜視図である。また、図２は、図１に示した携帯電話機１０の上視図である。図１に示すように、携帯電話機１０は、掌サイズの固定側筐体１００および可動側筐体２００と、これら固定側筐体１００および可動側筐体２００を連結部２５０により組み付けている。
【００１２】
すなわち、同図に示すように、携帯電話機１０は、送話用に用いられるとともに、数字（０〜９）のキーを有するテンキーパッド１０２および機能キー（モード設定キー）１０４などの各種操作キーを備える固定側筐体１００と、この固定側筐体１００と、ほぼ同等サイズに形成された可動側筐体２００とを連結部２５０により折り畳み自在に連結している。
【００１３】
このうち、固定側筐体１００は、テンキーパッド１０２などの各種操作キーを有する操作パネル１０１が配置された固定フロントケース１１０と、背面側（図１の下側）に位置する固定リアケース１２０との２分割構造を備えている。
【００１４】
同図に示すように、固定フロントケース１１０には、上述したテンキーパッド１０２、機能キー１０４や利用者の音声を電気信号に変換するマイクロホンが内部に配設された送話口１０３が設けられている。そして、これら両ケース１１０、１２０は、それぞれ４箇所の位置で取り付けネジ（図示せず）によるネジ止め固定により組み付けられている。このうち固定フロントケース１１０の側面には、ワンセグ用のアンテナ１０７が取り付け固定されている。このアンテナ１０７のアンテナ軸１０７ａは、固定フロントケース１１０(図８)の取り付け孔１１５を通じて取り付け固定される。
【００１５】
同様に、可動側筐体２００は、可動フロントケース２１０と、背面側（図１の下側）に位置する可動リアケース２２０との２分割構造とを備えている。同図に示すように、このうち可動フロントケース２１０の表面のほぼ中央部には、ＬＣＤモジュール２０５（図３）を視認するための大型の表示パネル２０１が設けられている。
【００１６】
また、可動フロントケース２１０の上端部には、携帯電話機１０の使用者の耳を当てて音声を聞き取るための受話口２０２が配設されている。これら、両ケース２１０、２２０もそれぞれ４箇所の位置で取り付けネジ(図示せず)により取り付け固定されるとともに、表示パネル２０１の上部位置には、ネジ用の目隠しカバー２０３が設けられている。また、可動リアケース２２０の表面側には、リアパネル２２２(図２)が設けられている。
【００１７】
［可動側筐体２００の内部構成］
次に、図３〜図５を用いて可動側筐体２００の内部構成について説明する。図３は、可動側筐体２００の内部を示す分解斜視図を、図４は、図３の上部を示す拡大斜視図を、図５は、図３の下部を示す拡大斜視図をそれぞれ示している。
【００１８】
すなわち、図３〜図５に示すように、可動側筐体２００は、上から表示パネル２０１とＬＣＤ防塵パッキンシート２０４と、可動フロントケース２１０と、ＬＣＤモジュール２０５とを備えている。ここで、本実施例１では、表示パネル２０１(図１)による視野を考慮して、ＬＣＤモジュール２０５のドライバ基板２０５ａは、このＬＣＤモジュール２０５の前側に設けている。また、ＬＣＤモジュール２０５の下方には、ＬＣＤシールドパッキン２０６と、可動側フレーム板２０７とを積層する状態で備えている。
【００１９】
また、フレキシブルケーブル２０８と、アンテナフレキケーブル２０９と、一対のガスケットシール２１１およびガスケットシール２１２と、ＡＢＳ素材からなる可動ＬＥＤフレーム２１３とを備えている。また、可動リアケース２２０とＬＣＤモジュール２２１とリアパネル２２２とをそれぞれ積層する状態で備えている。
【００２０】
また、２軸ヒンジモジュール２５１と、この２軸ヒンジモジュール２５１を保護するケース２５２、２５３とがそれぞれ２軸ヒンジモジュール２５１の上下位置に設けられている。ここで、２軸ヒンジモジュール２５１は、固定フロントケース１１０の凹状板部１１４(図８)に配設される。
【００２１】
すなわち、本実施例1では、携帯電話機１０の内部での防水性を確保すべく、可動側筐体２００に備えた可動フロントケース２１０には、固定フロントケース１１０に設けられた回路基板１０９と接続されるとともに、両者の電気系統に通電を行なうフレキシブルケーブル２０８が接続され、このフレキシブルケーブル２０８は、可動側筐体２００および固定側筐体１００の内部に対する防水を行なうガスケットシール２１１、２１２とを一体成形する構成を備えている。
【００２２】
具体的に説明すると、図３〜図５に示すように、フレキシブルケーブル２０８とアンテナフレキケーブル２０９とは、それぞれシール部材２０８ａ(図５)およびシール部材２０９ａ(図５)により覆包されている。また、フレキシブルケーブル２０８の基端部には、長方形状に成形されたガスケットシール２１２が接続により一体成形されている。
【００２３】
また、このフレキシブルケーブル２０８と対向する位置に設けられたアンテナフレキケーブル２０９にも長方形状に成形された、ガスケットシール２１１が接続により一体成形されている。
【００２４】
また、ガスケットシール２１１、２１２のうちのガスケットシール２１１は、固定フロントケース１１０(図８)の凹溝１１６に嵌合固定されている。また、ガスケットシール２１２は、可動リアケース２２０の凹溝２２０ａに嵌合固定されている。すなわち、このように、フレキシブルケーブル２０８とアンテナフレキケーブル２０９とにそれぞれ一体成形されたガスケットシール２１１、２１２により固定側筐体１００と可動側筐体２００との防水性を確実に確保する構成としている。
【００２５】
また、可動リアケース２２０は、全体が薄肉の箱形状により成形され、この可動リアケース２２０は、四角形状の本体部２２３と、この本体部２２３の周囲に形成された側板ケース部２２４とを備えている。また、本実施例１では、連結部２５０が２軸ヒンジ構造となっているため、ＬＣＤモジュール２０５(図４)のドライバ基板２０５ａを、可動リアケース２２０の前側に固設する構成としている。このため、このドライバ基板２０５ａの破損などを防止するために、可動リアケース２２０の内部には、補強板部材２２７を埋設している。
【００２６】
すなわち、図６に示すように、可動リアケース２２０は、基体層２２５と中間層２２６と補強板部材２２７とを有する３層構造を備えており、この補強板部材２２７により可動リアケース２２０の強度を図る構造としている。
【００２７】
［固定側筐体１００の内部構造］
次に、図７〜図９を用いて固定側筐体１００の内部構成の詳細について説明する。図７は、固定側筐体１００の内部を示す分解斜視図を、図８は、図７の上部を示す拡大斜視図を、図８は、図７の下部を示す拡大斜視図をそれぞれ示している。
【００２８】
［固定側筐体１００の内部構造］
すなわち、図７〜図９に示すように、固定側筐体１００は、上から操作パネル１０１のテンキーパッド１０２と、固定フロントケース１１０と、ワンセグ用のアンテナ１０７と、ドームシート１０８と、固定リアケースパッキン１０９と、アンテナ部材１１１と、電池Ｐと、スピーカホルダ１１２と、端子ホルダ１３０と、Ｏリング１４０とを備えている。また、固定リアケース１２０は、固定リアケース１２０に形成された電池パック収納部１２２を閉鎖するリアカバー１２９を備えている。
【００２９】
ここで、図８に示すように、固定フロントケース１１０は、全体が薄肉の箱形状の軽量で高強度のマグネシウム合金などが使用され、テンキーパッド１０２を嵌合させるための長方形型の開口部１１３が形成されている。また、この固定フロントケース１１０の本体部の上部側は２軸ヒンジ構造の２軸ヒンジモジュール２５１(図４)を設けるための凹状板部１１４が形成されている。なお、２軸ヒンジモジュール２５１は、固定ヒンジカバー１０６により包囲固定される。
【００３０】
また、図９に示すように、固定リアケース１２０の本体部１２１に形成された電池収納部１２２の端側(図９の下側)には、矩形状に形成されたホルダ本体受け部１２４と横長楕円上に形成された充電端子受け部１２５とが設けられた端子ホルダ受け部１２３が形成されている。そして、この端子ホルダ受け部１２３に対して端子ホルダ１３０が嵌め込まれている。
【００３１】
ここで、本実施例１では、電池Ｐの通電接点として使用している端子ホルダ１３０に設けた一対の充電端子１３２(図１０)による通電回路を、アンテナの受信特性を向上させるために、電気的接地回路ラインとして利用することとしている。
【００３２】
すなわち、一般的な携帯電話機の内部に設けられたアンテナ用の基板寸法は、長手方向が約９０ｍｍ（８００ＭＨｚ帯の波長の１／４）で、幅方向が約４０ｍｍ（２ＧＨｚ帯の波長の１／４）で、基板の寸法が波長の１／４の長さのため長手方向で８００ＭＨｚ帯、幅方向で２ＧＨｚ帯の電波がそれぞれ共振するようなサイズとなっている。
【００３３】
ところが、前述したように、本実施例１の携帯電話機１０は、固定側筐体１００と可動側筐体２００との連結には、２軸ヒンジモジュール２５１(図４)を使用した２軸ヒンジ構造となっている連結部２５０を使用しているため、アンテナ用の回路基板の長手方向の寸法が約８０ｍｍ程度と少し短い寸法としている。
【００３４】
そして、このままの状態であると、アンテナ特性が減衰する恐れがあるため、本実施例１では、端子ホルダ１３０に設けた一対の充電端子１３２にメッキパターンを施して回路基板を電気的に９０ｍｍ程度の長さとすることとしている。これによると、８００ＭＨｚ帯を効率よく共振させることでアンテナ特性の改善を行なうことができる。以下、図１０を用いて端子ホルダ１３０の詳細について説明する。
【００３５】
図１０は、端子ホルダ１３０の全体構成を示す斜視図である。ここで、図１０に示すグレー表示は、メッキパターン（銀メッキパターン）を示している。すなわち、図１０に示すように、端子ホルダ１３０の端子ホルダ本体１３１は、長方形状の支持台部１３５と、この支持台部１３５に隣接して形成された嵌合凸部１３４とを備えており、支持台部１３５の上部には、一対の充電端子１３２が形成された支持凸部１３３が設けられている。
【００３６】
このように、端子ホルダ１３２の一対の充電端子１３２をアンテナの電気的接地回路ラインとして利用することによりアンテナ特性の改善を図ることができる。また、支持凸部１３３の周囲１３３ａには、Ｏリング１４０(図９)が嵌合されている。そして、このＯリング１４０により固定側筐体１００への防水性を確保することができる。
【００３７】
以上説明したように、本実施例１の携帯電話機１０において、固定側筐体１００および可動側筐体２００間での電気系統に通電を行なうフレキシブルケーブル２０８は、可動側筐体２００または固定側筐体１００の内部に対する防水を行なう一対のガスケットシール２１１およびガスケットシール２１２とが一体成形された状態で、可動フロントケース２１０と固定フロントケース１１０の内側に嵌合固定されているので、２軸ヒンジ構造を備えた携帯電話機１０に対する防水性能を確保することができるうえ、アンテナ特性を改善できる携帯電話機を実現することができる。
（他の実施例）
【００３８】
さて、これまで本発明の実施例１について説明したが、本発明は上述した実施例１以外にも、上記特許請求の範囲に記載した技術的思想の範囲内において、種々の異なる実施例にて実施することもできる。 
【００３９】
すなわち、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置を対象として適用することができる。 
【００４０】
以上の実施例１を含む実施形態に関し、さらに以下の付記を開示する。
【００４１】
（付記１）液晶表示モジュールを有する可動フロントケースと可動リアケースとを備えた可動側筐体と、アンテナと回路基板を有する固定側フロントケースと電池パックを収納する電池パック収納部を有する固定リアケースとを備えた固定側筐体とを、２軸ヒンジ構造の連結部を介して連結する携帯端末装置であって、
前記固定フロントケースに設けられた回路基板には、前記可動側筐体の電気系統に通電を行なうフレキシブルケーブルが接続され、
前記フレキシブルケーブルは、前記可動側筐体または前記固定側筐体の内部に対する防水を行なう第一のガスケットシール部材と第二のガスケットシール部材とが一体成形され、
前記第一のガスケットシール部材は、前記可動フロントケースに形成された凹溝部に嵌合固定され、
前記第二のガスケットシール部材は、前記固定フロントケースに形成された凹溝部に嵌合固定されることを特徴とする携帯端末装置。
【００４２】
（付記２）液晶表示モジュールを有する可動フロントケースと可動リアケースとを備えた可動側筐体と、アンテナと回路基板を有する固定側フロントケースと電池パックを収納する電池パック収納部を有する固定リアケースとを備えた固定側筐体とを、２軸ヒンジ構造の連結部を介して連結する携帯端末装置であって、
前記可動フロントケースに設けられた液晶表示モジュールのドライバ回路基板は、当該可動フロントケースの前端部側に固定されるとともに、当該可動フロントケースを構成する筐体の内部には、剛性を有する板金フレーム部材が全面にわたって埋設され、
前記固定フロントケースに設けられた回路基板には、前記可動側筐体の電気系統に通電を行なうフレキシブルケーブルが接続され、
前記フレキシブルケーブルは、前記可動側筐体または前記固定側筐体の内部に対する防水を行なう第一のガスケットシール部材と第二のガスケットシール部材とが一体成形され、
前記第一のガスケットシール部材は、前記可動フロントケースに形成された凹溝部に嵌合固定され、
前記第二のガスケットシール部材は、前記固定フロントケースに形成された凹溝部に嵌合固定されることを特徴とする携帯端末装置。
【００４３】
（付記３）前記可動フロントケースの筐体の内部に埋設された前記板金フレーム部材の側面部は、当該可動フロントケースのケース側面形状に合わせて略Ｌ字型に成形されていることを特徴とする付記２に記載の携帯端末装置。
【００４４】
（付記４）前記可動フロントケースの筐体のケース表面部には、前記液晶表示モジュールの裏面を覆うとともに、当該筐体補強用の補強板部材が取り付け固定されていることを特徴とする付記３に記載の携帯端末装置。
【００４５】
（付記５）前記固定側リアケースに形成された電池パック収納部には、前記電池パックの電力を前記回路基板に通電する充電端子が固接された端子ホルダ部材が設けられ、当該端子ホルダ部材には、前記アンテナと電気接続するとともに、当該アンテナに対する電気的接地回路を形成する接地回路パターンが形成されることを特徴とする付記１〜４の何れか一つに記載の携帯端末装置。
【００４６】
（付記６）前記端子ホルダ部材の基端部には、円形状の嵌合凹部が形成され、前記嵌合凹部には、防水機能を有するＯリング部材が嵌合固定されることを特徴とする付記５に記載の携帯端末装置。
【００４７】
（付記７）前記アンテナを対象とする電気的接地回路を形成する電気接地回路パターンは、銀メッキパターンであることを特徴とする付記５または６に記載の携帯端末装置。
【図面の簡単な説明】
【００４８】
【図１】実施例１に係る携帯電話機の開放状態を示す外観斜視図である。
【図２】図１に示した携帯電話機の上視図である。
【図３】可動側筐体の内部を示す分解斜視図である。
【図４】図３の上部を示す拡大斜視図である。
【図５】図３の下部を示す拡大斜視図である。
【図６】図５のＡ部を示す拡大図である。
【図７】固定側筐体の内部を示す分解斜視図である。
【図８】図７の上部を示す拡大斜視図である。
【図９】図７の下部を示す拡大斜視図である。
【図１０】端子ホルダの全体構成を示す拡大斜視図である。
【符号の説明】
【００４９】
１０  携帯電話機
１００  固定側筐体
１０７  アンテナ
１１０  固定フロントケース
１２０  固定リアケース
１３０  端子ホルダ  
２００  可動側筐体
２１０  可動フロントケース
２２０  可動リアケース
２５０  連結部
２５１  ２軸ヒンジモジュール
【図１】
2009267985.tif 000003
【図２】
2009267985.tif 000004
【図３】
2009267985.tif 000005
【図４】
2009267985.tif 000006
【図５】
2009267985.tif 000007
【図６】
2009267985.tif 000008
【図７】
2009267985.tif 000009
【図８】
2009267985.tif 000010
【図９】
2009267985.tif 000011
【図１０】
2009267985.tif 000012